【事件の表示】
　特許第３４０２６１９号「電子スチルカメラ」の請求項１ないし７に係る特許に対する特許異議の申立てについて、次のとおり決定する。
【結　論】
　訂正を認める。
　特許第３４０２６１９号の請求項１ないし７に係る特許を維持する。
【理　由】
１．手続の経緯
　特許第３４０２６１９号の請求項１ないし７に係る発明は、平成４年１月１４日に特許出願され、平成１５年２月２８日にその特許権の設定登録がなされ、その後、佐藤光男より特許異議の申立てがなされ、取消しの理由が通知され、その指定期間内である平成１６年１２月７日に訂正請求がなされたものである。
　
２．訂正の適否についての判断
（１）訂正の内容
ア．訂正事項ａ
　特許請求の範囲の請求項１ないし７の記載について、
「【請求項１】　複数の水平ラインを有し、当該複数の水平ラインを順次クリアした後画像データを順次読出す撮像手段と、該撮像手段の後段に設けられ該撮像手段から読み出された信号を水平方向に間引く間引手段と、該間引手段の出力を一旦記憶する記憶手段と、前記記憶手段に一旦記憶された信号を記録媒体に記録する記録手段と、スイッチの操作により記録シーケンスが単一の第１のモードと記録シーケンスを繰り返す第２のモードとの一方を選択可能な選択手段とを備えた電子スチルカメラであって、
　前記選択手段によって前記第１のモードを選択した場合には、前記撮像手段から各水平ラインの信号を順次読出し、前記選択手段によって前記第２のモードを選択した場合には、前記撮像手段から出力される水平ライン数を前記第１のモードを選択した場合より減らすことによって繰り返し高速読み出しをするとともに、前記間引手段により水平方向に間引いて繰り返し前記記憶手段に記憶させるように制御する制御手段を備え、
　前記第２のモードにおいて複数の水平ラインを順次クリアした後画像データを順次読み出して高速読み出しをし記録シーケンスを繰り返す場合には、当該記録の際にコマ速を所定のエリアに記録することによって、再生の際に当該所定のエリアよりコマ速を知ることができるようにしたことを特徴とする電子スチルカメラ。
【請求項２】　複数の水平ラインを有し、当該複数の水平ラインを順次クリアした後画像データを順次読出す撮像手段と、該撮像手段から読み出した信号を一旦記憶する記憶手段と、前記記憶手段に一旦記憶された信号を記録媒体に記録する記録手段と、スイッチの操作により記録シーケンスが単一の第１のモードと記録シーケンスを繰り返す第２のモードとの一方を選択可能な選択手段とを備えた電子スチルカメラであって、
　前記選択手段によって前記第１のモードを選択した場合には、前記撮像手段から各水平ラインの信号を順次読出し、前記選択手段によって前記第２のモードを選択した場合には、前記撮像手段から出力される水平ライン数を前記第１のモードを選択した場合より減らすことによって高速読み出しを繰り返し、信号を前記記録手段により記録媒体に記録する前に、前記記憶手段に当該繰り返し高速読出しされた複数の画面の信号を一旦記憶することによって、前記複数の画面の信号を高速に読みだす際に、前記複数の水平ライン数を減らしながら水平ラインを順次クリアして画像データを読みだすように制御する制御手段を備えことを特徴とする電子スチルカメラ。　
【請求項３】　前記制御手段は、前記第２のモードにおいて、前記撮像手段からの画素信号を水平方向にも減らすことを特徴とする請求項２に記載の電子スチルカメラ。
【請求項４】　前記制御手段は、前記第１のモードにおいて前記撮像手段を１水平期間に２水平ラインごとにジグザグに読出すように構成されていることを特徴とする請求項１または２に記載の電子スチルカメラ。
【請求項５】　前記記憶手段に記憶された複数画面の映像信号をマルチ画面表示する表示手段を有することを特徴とする請求項１または２に記載の電子スチルカメラ。
【請求項６】　前記水平方向の間引きはＡ−Ｄコンバータの変換クロックを減少させるか、若しくは前記記憶手段に記憶させる際に間引くことにより実現されることを特徴とする請求項１に記載の電子スチルカメラ。
【請求項７】　前記記録媒体に記録された複数画面の映像信号をマルチ画面表示する表示手段を有することを特徴とする請求項２に記載の電子スチルカメラ。」と訂正する。
イ．訂正事項ｂ
　明細書段落【００１０】の記載を訂正する。（内容省略）
　
（２）訂正の目的の適否、新規事項の有無及び拡張・変更の存否
　上記訂正事項ａは、発明を特定する事項である「複数の水平ラインを有する撮像手段」をこれに含まれる事項である「複数の水平ラインを有し、当該複数の水平ラインを順次クリアした後画像データを順次読出す撮像手段」に変更（請求項１，２）し、同じく「電子スチルカメラ」をこれに含まれる事項である「前記記憶手段に一旦記憶された信号を記録媒体に記録する記録手段」「とを備えた電子スチルカメラ」に変更（請求項１）し、同じく「電子スチルカメラ」をこれに含まれる事項である「前記第２のモードにおいて複数の水平ラインを順次クリアした後画像データを順次読み出して高速読み出しをし記録シーケンスを繰り返す場合には、当該記録の際にコマ速を所定のエリアに記録することによって、再生の際に当該所定のエリアよりコマ速を知ることができるようにしたことを特徴とする電子スチルカメラ」に変更（請求項１）し、同じく「前記記憶手段に当該繰り返し高速読出しされた複数の画面の信号を一旦記憶するように制御する制御手段」を「前記記憶手段に当該繰り返し高速読出しされた複数の画面の信号を一旦記憶することによって、前記複数の画面の信号を高速に読みだす際に、前記複数の水平ライン数を減らしながら水平ラインを順次クリアして画像データを読みだすように制御する制御手段」に変更（請求項２）し、しかも、上記訂正点については、願書に添付された明細書の段落００２４ないし００３１，００３３，００４５ないし００５０に記載されているから、特許請求の範囲の減縮を目的とした明細書の訂正に該当し、また、「（[００３５]）」の削除（請求項６）については、明りょうでない記載の釈明を目的とした明細書の訂正に該当し、上記訂正事項ｂは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
　
（３）むすび
　したがって、上記訂正は、特許法第１２０条の４第３項で準用する平成６年法律第１１６号による改正前の第１２６条第１項ただし書き、第２項及び第３項までの規定に適合するので、当該訂正を認める。
　
３．特許異議申立てについての判断
（１）申立ての理由の概要
　申立人佐藤光男は、請求項１ないし７に係る発明（以下、「本件発明１ないし７」という）は、甲第１号証（特開昭６３−２８６０７８号公報）、甲第２号証（特開昭６３−２５０２８７号公報）、甲第３号証（特開平２−１８６８６８号公報）、甲第４号証（特開昭５７−１２５５９０号公報）、甲第５号証（特開昭６２−１７２８６８号公報）、甲第６号証（特開平３−３５８０号公報）、甲第７号証（特開昭６４−１０７８４号公報）をもとに容易に発明をすることができたものであり、特許法第２９条第２項の規定により、特許を受けることができないものであるから、特許を取り消すべきと主張している。
　
（２）本件の請求項１ないし７に係る発明
　上記２．で示したように上記訂正が認められるから、本件発明１ないし７は、上記訂正請求に係る訂正明細書の特許請求の範囲の請求項１ないし７に記載された事項により特定されるとおりのものである。
　
（３）刊行物等
　取消理由として提示した、特許異議申立人が証拠として提示した刊行物およびその他の刊行物は以下のものである。
　
刊行物１：特開昭６３−２８６０７８号公報（異議申立人佐藤光男の提出した甲第１号証）
刊行物２：特開昭６３−２５０２８７号公報（同人の提出した甲第２号証）
刊行物３：特開平２−１８６８６８号公報（同人の提出した甲第３号証）
刊行物４：特開昭５７−１２５５９０号公報（同人の提出した甲第４号証）
刊行物５：特開昭６２−１７２８６８号公報（同人の提出した甲第５号証）
刊行物６：特開平３−３５８０号公報（同人の提出した甲第６号証）
刊行物７：特開昭６４−１０７８４号公報（同人の提出した甲第７号証）
刊行物８：特開昭５９−７０３８５号公報
刊行物９：実願昭５９−７３９４５号（実開昭６０−１８６７７１号）のマイクロフィルム
刊行物１０：特開昭６３−３００８３号公報
刊行物１１：特開平２−２００２３５号公報
刊行物１２：特開平１−２８０９７２号公報　
刊行物１３：実願昭６１−５６６４２号（実開昭６０−１２６８４３号）のマイクロフィルム
　
　刊行物１には、複数の水平ラインを有する撮像手段と、該撮像手段の後段に設けられ該撮像手段から読み出された信号を水平方向に間引く間引手段と、該間引手段の出力を記憶する記憶手段と、映像信号を圧縮する第１の動作モードと、映像信号を圧縮しない第２の動作モードを選択的に指示する操作手段とを備えた電子スチルカメラであって、前記操作手段によって前記第２のモードを選択した場合には、前記撮像手段から各水平ラインの信号を読出し、前記操作手段によって前記第１のモードを選択した場合には、前記撮像手段から出力される水平ライン数を前記第１のモードを選択した場合より減らすとともに、前記間引手段により水平方向に間引いて繰り返し前記記憶手段に記憶させるように制御する制御手段を備えたことを特徴とする電子スチルカメラが開示され、
　刊行物２には、水平方向での出力画素数と、垂直方向の走査線数を減らすことによって、高速撮影を行うことのできるビデオ記録装置が開示され、
　刊行物３には、ＣＣＤラインセンサから出力される光電信号を間引くことによって、短時間で高速な撮影を行える点が開示され、
　刊行物４には、テレビジョン速度の水平、垂直カウンタ回路からのデジタルデータを、水平、垂直共に１画素おきに取り込んで、１／４画面に圧縮して記憶し、画像情報を高速に送ることのできる点が開示され、
　刊行物５には、撮像素子の水平ラインを（ｎラインに１つに）間引いて読み出すカメラが開示され、
　刊行物６には、高速連写モードを選択可能な電子カメラが開示され、
　刊行物７には、ＣＣＤ撮像素子から得られる画像信号を一旦記録する高速書き込み可能な第１の半導体メモリと、このメモリから読み出された前記画像信号が転送されて記録される低速書き込みの第２の半導体メモリとを具備した電子スチルカメラが開示され、
　刊行物８，９には、複数の画面の信号を一旦第１の画面の信号から記憶し、設定回数を超えると第１の画面の信号のところから記憶手段に記憶する点が開示され、
　刊行物８，１０，１１，１２にはマルチ表示が開示され、
　刊行物１３には、露出不足の状況に応じて警告を出す点が開示されている。
　
（４）対比・判断
　本件発明１ないし７と上記刊行物１ないし１３に記載の発明とを対比すると、これら刊行物に記載の発明は、本件発明を特定する事項である、「複数の水平ラインを順次クリアした後画像データを順次読出す撮像手段」（請求項１ないし７）であって「第２のモードにおいて複数の水平ラインを順次クリアした後画像データを順次読み出して高速読み出しをし記録シーケンスを繰り返す場合には、当該記録の際にコマ速を所定のエリアに記録することによって、再生の際に当該所定のエリアよりコマ速を知ることができるようにした」点（請求項１，４，５，６）あるいは「複数の画面の信号を高速に読みだす際に、前記複数の水平ライン数を減らしながら水平ラインを順次クリアして画像データを読みだす」点（請求項２，４，５，７）を備えておらず、これにより本件発明１ないし７は、上記刊行物１ないし１３に記載の無い、複数の水平ラインを順次クリアした後画像データを順次読出す撮像手段を具備するものを対象として明細書記載の顕著な効果を奏するのであり、本件発明１ないし７が上記刊行物１ないし１３に記載のものから容易に発明をすることができたものとはいえない。
　
（５）むすび
　以上のとおりであるから、特許異議申立ての理由及び証拠によっては、本件請求項１ないし７に係る発明の特許を取り消すことができない。
　また、他に本件請求項１ないし７に係る発明の特許を取り消すべき理由を発見しない。
　したがって、本件発明１ないし７についての特許は拒絶の査定をしなければならない特許出願に対してされたものと認めない。
　よって、結論のとおり決定する。
【異議決定日】
平成１７年１月２５日（２００５．１．２５）
【訂正の要旨】
審決（決定）の【理由】欄参照。
（５４）【発明の名称】
電子スチルカメラ
（５７）【特許請求の範囲】
　【請求項１】　複数の水平ラインを有
し、当該複数の水平ラインを順次クリアした後画像データを順次読出す
一旦
前記記憶手段に一旦記憶された信号を記録媒体に記録する記録手段と、
　前記選択手段によって前記第１のモードを選択した場合には、前記撮像手段から各水平ラインの信号を
順次
、
　前記第２のモードにおいて複数の水平ラインを順次クリアした後画像データを順次読み出して高速読み出しをし記録シーケンスを繰り返す場合には、当該記録の際にコマ速を所定のエリアに記録することによって、再生の際に当該所定のエリアよりコマ速を知ることができるようにし
　【請求項２】　複数の水平ラインを有
し、当該複数の水平ラインを順次クリアした後画像データを順次読出す
　前記選択手段によって前記第１のモードを選択した場合には、前記撮像手段から各水平ラインの信号を
順次
ことによって、前記複数の画面の信号を高速に読みだす際に、前記複数の水平ライン数を減らしながら水平ラインを順次クリアして画像データを読みだす
　【請求項３】　前記制御手段は、前記第２のモードにおいて、前記撮像手段からの画素信号を水平方向にも減らすことを特徴とする請求項２に記載の電子スチルカメラ。
　【請求項４】　前記制御手段は、前記第１のモードにおいて前記撮像手段を１水平期間に２水平ラインごとにジグザグに読出すように構成されていることを特徴とする請求項１または２に記載の電子スチルカメラ。
　【請求項５】　前記記憶手段に記憶された複数画面の映像信号をマルチ画面表示する表示手段を有することを特徴とする請求項１または２に記載の電子スチルカメラ。
　【請求項６】　前記水平方向の間引きはＡ−Ｄコンバータの変換クロックを減少させるか、若しくは前記記憶手段に記憶させる際に間引くことにより実現され
るこ
　【請求項７】　前記記録媒体に記録された複数画面の映像信号をマルチ画面表示する表示手段を有することを特徴とする請求項２に記載の電子スチルカメラ。
【発明の詳細な説明】
　【０００１】
　【産業上の利用分野】
　本発明は、電子スチルカメラに関し、特にその高速連写に関するものである。
　【０００２】
　【従来の技術】
　従来より電子スチルカメラ（スチルビデオカメラともいう）に連写モードが設けられて、ＣＣＤなどの撮像素子の電子シャッタ機能を駆使して高速化が計られている。特に、銀塩フィルムカメラと比較して電子スチルカメラは、消去・再記録が可能であるため、連写機能は有用である。
　【０００３】
　そこで連写スピードをかせぐために各種の工夫がなされている。連写スピードを決定する要因としてはメカの動作時間があげられる。シャッタは電子シャッタ化されるため問題とならず、残るメカとしてヘッド送り時間が問題となってくる。
　【０００４】
　この問題を解決するために、電子スチルカメラに画像メモリを搭載して読み出した画像データを間引いて１／１６や１／２５のデータとして画像メモリに記憶して順次連写を行い、一連のデータがそろったら、画像メモリからビデオフロッピに書き込むような提案がある。このときは、撮像素子の読出しに１Ｖ（垂直走査）期間を必ず要するため、これが連写スピードの決定要因となる。
　【０００５】
　前述のような電子スチルカメラには、高速連写に関し、次の
（１）に
　【０００６】
　（１）撮像素子の読出しに１Ｖ期間（１／６０秒）を要するため、動きの速い被写体の撮影が難しい。
　【０００７】
　【０００８】
　【０００９】
　本発明は、このような問題に鑑みてなされたもので、より高速で速写がで
き易
る。
　【００１０】
　【課題を解決するための手段】
　前記目的を達成するため、本発明では電子スチルカメラを次の（１）ないし（７）のとおりに構成する。
　（１）複数の水平ラインを有
し、当該複数の水平ラインを順次クリアした後画像データを順次読出す
一旦
　前記選択手段によって前記第１のモードを選択した場合には、前記撮像手段から各水平ラインの信号を
順次
、
　前記第２のモードにおいて複数の水平ラインを順次クリアした後画像データを順次読み出して高速読み出しをし記録シーケンスを繰り返す場合には、当該記録の際にコマ速を所定のエリアに記録することによって、再生の際に当該所定のエリアよりコマ速を知ることができるようにし
　（２）複数の水平ラインを有
し、当該複数の水平ラインを順次クリアした後画像データを順次読出す
　前記選択手段によって前記第１のモードを選択した場合には、前記撮像手段から各水平ラインの信号を
順次
ことによって、前記複数の画面の信号を高速に読みだす際に、前記複数の水平ライン数を減らしながら水平ラインを順次クリアして画像データを読みだす
　（３）前記制御手段は、前記第２のモードにおいて、前記撮像手段からの画素信号を水平方向にも減らす前記（２）に記載の電子スチルカメラ。
　（４）前記制御手段は、前記第１のモードにおいて前記撮像手段を１水平期間に２水平ラインごとにジグザグに読出すように構成されている前記（１）または（２）に記載の電子スチルカメラ。
　（５）前記記憶手段に記憶された複数画面の映像信号をマルチ画面表示する表示手段を有する前記（１）または（２）に記載の電子スチルカメラ。
　（６）前記水平方向の間引きはＡ−Ｄコンバータの変換クロックを減少させるか、若しくは前記記憶手段に記憶させる際に間引くことにより実現され
る前記（
　（７）前記記録媒体に記録された複数画面の映像信号をマルチ画面表示する表示手段を有する前記（２）に記載の電子スチルカメラ。
　【００１１】
　【００１２】
　【００１３】
　【００１４】
　【００１５】
　【実施例】
　以下本発明を実施例により詳しく説明する。
　（実施例１）
　図１は実施例１である“電子スチルカメラ”のブロック図である。図中、１はレンズ、２は絞りで、ここではターレットタイプの絞り（図示せず）を利用している。３は水平ラインをラインごとに読出し可能なイメージセンサ（撮像素子）、４はイメージセンサ３から読み出したデータのサンプルホールド回路及びガンマ補正を行うサンプルホールド・ガンマ回路（以下ＳＨＧという）、５はアナログ画像データをディジタルデータに変換するＡ−Ｄコンバータ、６は画像データを記憶するメモリ、７は信号処理を行うディジタルシグナルプロセッサ（以下ＤＳＰという）、８はディジタルデータをアナログデータに変換するＤ−Ａコンバータ、９は再生回路、１０は記録回路、１１は記録・再生用ヘッド、１２は磁気記録媒体であるビデオフロッピである。
　【００１６】
　１３はイメージセンサ３，ＳＨＧ４，Ａ−Ｄコンバータ５，メモリ６，ＤＳＰ７，Ｄ−Ａコンバータ８のタイミングをコントロールするクロック発生回路である。１４はモード切換，シーケンシャル制御を行うシステムコントローラ、１５は再生モード時に動作するエンコーダ、１６はストロボ、１７，１８は記録・再生モード切換に連動して切り換わるスイッチ、１９は測光用センサ、２０は調光用センサ、２１は各種モード，トラックナンバなどを表示する液晶ディスプレイ、２２はセルフ撮影時に点滅するＬＥＤ、２３は撮影モード切換えスイッチで、単写セルフ，高速連写（Ｈ−Ｃｏｎｔ），超高速連写（ＳＨ−Ｃｏｎｔ）を切り換えるものである。２４はストロボのモードスイッチで、オン，オフ，オートを切り換える。２５，２６はスイッチＳＷ１，ＳＷ２で記録，シーケンスのトリガースイッチである。２７はディスクドライブのモータである。
　【００１７】
　先ず、最初に、通常の記録シーケンスについて説明する。不図示のレリーズボタンが押されスイッチＳＷ１・２５がオンすると、ビデオフロッピ１２に記録するため、ディスクドライブモータ２７を立ち上げる。まず、システムコントローラ１４は、ＡＥセンサ１９から測光データを読み取って測光演算を行う。そして、レリーズボタンが更に押されスイッチＳＷ２・２６がオンすると、測光演算により決定した絞り値に、絞り２を駆動する。次に、所定の電子シャッタスピードでイメージセンサ３への露出を行う。
　【００１８】
　そして、クロック発生回路１３によりイメージセンサ３からデータを読み出し、ＳＨＧ４でサンプルホールド及びガンマ補正が行われ、切換えスイッチ１８を介してＡ−Ｄコンバータ５でＡ−Ｄ変換されディジタル画像データになる。メモリ６を通過してＤＳＰ７で信号処理が行われて、Ｄ−Ａコンバータ８でＤ−Ａ変換され、記録回路１０から切換えスイッチ１７，ヘッド１１を介してビデオフロッピ１２に記録する。
　【００１９】
　以上が単写モード時の記録シーケンスである。高速連写は、スイッチＳＷ２・２６がオンの間この記録シーケンスを繰り返し行うことによって実現される。
　【００２０】
　次に図２はクロック発生回路１３におけるイメージセンサ３をコントロールするカウンタのブロック図である。図３は水平ラインをラインごとに読出し可能なイメージセンサ３の説明図である。
　【００２１】
　図３において、垂直方向に５００本の有効なラインからなっており、１水平期間（以下１Ｈ期間という）に２ラインごとにジグザグに読み出すようになっており、図の２ラインで水平１ラインを構成している。すなわち、１と２，３と４……４９９と５００が水平１ラインを構成している。
　【００２２】
　図２において、２０１は垂直及び電子シャッタスピード用のカウンタ、２０２は２０１のカウンタからタイミングをつくるデコーダ、２０３は水平カウンタ、２０４はカウンタ２０１，カウンタ２０３からタイミングをつくるデコーダ、２０５は読出し始めのラインのアドレスをセットするスタートアドレス、２０６は読出し終了のラインのアドレスをセットするエンドアドレスである。２０７はアドレスカウンタ、２０８はアイリスカウンタ、２０９はアドレス・エンド・ディテクト、２１０はアドレス・アイリス切換回路、２１１はアイリス・エンド・ディテクトである。
　【００２３】
　図４は１Ｈ期間のうちの最初のアドレス，アイリスのセレクトのタイミングチャートである。ここでアドレスとは、水平期間内にアドレスで指定したラインが読み出されることであり、アイリスとは、指定したラインがクリアされることである。そこで、アイリスによって指定したラインが、アドレスによって読み出されるまでがシャッタスピード時間となる。すなわち、この時間は水平期間の整数倍で決定される。
　【００２４】
　図５は、図２の各々のカウンタの動作状態を示すタイミングチャートである。ここでは水平ラインを１／４に間引いた場合を示し、参考までにＮＶＤ（垂直同期信号）を添えた。
　【００２５】
　まず最初に、図２に示すスタートアドレス２０５及びエンドアドレス２０６に読出し始め，終わりをプリーセットする。また、間引きの１／４も同時にセットする。次に、Ｖ，ＴＶ−カウンタ２０１にシャッタスピードに相当するＨの倍数をセットする。そしてＨカウンタ２０３によりＨのタイミングが発生して、図４に示すように、アドレスバスのＢ１〜Ｂ９にアイリスがセットされる。Ｈカウンタ２０３は２６０ＦＨ（ＦＨは水平周波数）でカウントアップされ、２６０カウントでクリアされる。Ｖ，ＴＶ−カウンタ２０１はＨカウンタ２０３の２６０カウントで１ダウンカウントされる。
　【００２６】
　一方、アイリスカウンタ２０８は、Ｈ−Ｖデコーダ２０４からインクリメント信号（以下ＩＮＣ）が図４に示すようなタイミングでくるため、１Ｈ期間に２カウントずつアップしていく。また、スタートアドレス１のときは、１と２が最初のＨでクリアされ、次は、５と６，９と１０といったように４ずつカウントアップする。
　【００２７】
　このようにしてＶ，ＴＶ−カウンタ２０１をダウンカウントさせて、０になると、次にイメージセンサ３は蓄積状態から読出し状態へと移る。ここで、アドレスカウンタ２０７は、スタートアドレスから順にカウントを始める。例えば、ＴＶ＝２０Ｈのときには、図４において次のようになる。ＤＵＭＭＹ＝０，ＡＤＲ＝１，ＩＲＩＳ＝８１，ＡＤＲ＋１＝２，ＩＲＩＳ＋１＝８２というようにＡＩＳＥＬ及びＤＭＳＥＬがＨ，Ｖデコーダより出力されてアドレス・アイリスセレクト２１０で切り換えられてＢ１〜Ｂ９に出力される。
　【００２８】
　アドレスカウンタ２０７についても同様にインクリメント信号によりカウントアップしていく。こうして選択された２ライン分の画像データを図１のメモリ６に記憶させるために、フリーズゲート（以下ＦＲＺ＿ＧＡＴＥ）（１）を出力する。このようにして読み出された画像データは、図６の画面上の（１）の部分に相当するメモリ６上へストアされる。
　【００２９】
　Ｈカウンタ２０３，Ｖカウンタ２０２をカウントアップさせてアドレスカウント，アイリスカウントを進めていく。
　【００３０】
　そうして、アイリス・エンド・ディテクト２１１によってアイリスカウンタが読出し終了までカウントアップしたことが検出されると、アイリスカウンタへのインクリメント信号（ＩＮＧ）が出力されるのを禁止するようにアイリスカウントエンド（ＩＥＮＤ）を出力する。
　【００３１】
　同様にしてアドレス・エンド・ディテクト２０９によってアドレスカウンタが読出し終了までカウントアップしたことが検出されると、アドレスカウンタへのインクリメント信号（ＩＮＣ）が出力されるのを禁止するようにアドレスカウントエンド（ＡＥＮＤ）を出力する。
　【００３２】
　そして、最後のラインの最後の画素の読出し終了時に、ＦＲＺ＿ＧＡＴＥをＬ→Ｈへ戻してメモリ６の（１）のストアを終了する。
　【００３３】
　この動作を繰り返してメモリ６の（２）〜（１６）へのストアを行う。そして（１）〜（１６）までメモリ６へのストアが終了したら、ディスクドライブモータ２７を起動させて回転が安定後にメモリ６を読み出し、ＤＳＰ７，Ｄ−Ａ８，記録回路１０，ヘッド１１を介してＲＥＧ＿ＧＡＴＥをだしてビデオフロッピ１２へ記録する。このようにして１トラックに高速連写１６コマ分が記録される。
　【００３４】
　本実施例では、読出し時間は、ラインの間引きにより決まるので、１／４にした場合は、（１／４）Ｖ（垂直期間）で約４ｍｓｅｃで一定となる。だから連写コマ速を決定するのはシャッタスピードすなわちＴＶ−カウンタにプリセットする値となる。
　【００３５】
　今回は、縦方向の間引きについては４ラインおきにデータを読み出すことで実現されるが、横方向についてはＡ−Ｄコンバータの変換クロックを１／４にするか、もしくはメモリ６に書き込む時に間引くことにより実現される。
　【００３６】
　図７は、メモリ６のブロック図である。７０１は画像データをストアするメモリ、７０２は書込み，読出し，アドレスなどを制御するコントローラ、７０３は入力画像データと読出し画像データとの比較を行うコンパレータである。７０４は、コンパレータ７０３の出力がＨ（入力画像データと読出し画像データの差があるレベル以上）のときにカウントイネーブルとなるカウンタである。
　【００３７】
　図８は、メモリへの書込み，読出し及びコンパレータの動作を表わすタイミングチャートである。ここで、図７，８を用いて説明する。
　【００３８】
　簡単にいうと、連写一コマごとに読み出されるデータをメモリ６の前回のデータと比較して大きな変化が認められない場合は、読み出されたデータをメモリ６へストアしないというものである。
　【００３９】
　図８の▲１▼においてイメージセンサ３よりデータが出力され、メモリ６上の領域（１）へデータがストアされる。図８の▲２▼においてイメージセンサ３からの画像データをメモリ６上の領域（２）へ書き込む一方で、コントローラ７０２は、▲１▼でストアした領域（１）のデータを読み出してイメージセンサ３からのデータと比較をコンパレータ７０３に行わせる。ここで所定値以上の差があった場合は、カウンタ７０４へカウントイネーブルが１発出力される。カウンタ７０４の値が所定値以上となったときは、連写の１コマ目と２コマ目との間に画像の変化が充分にあったということが判定される。このとき、カウンタ７０４からコントローラ７０２へ書込みアドレスを次のところ（（２）→（３）へ）進める信号（Ｎｅｘｔ　Ｗｒｉｔｅ）が出力される。
　【００４０】
　次に図８▲３▼において、メモリ６上の領域（３）への画像データの書込み及び（２）のデータの読出し、データ比較が行われる。
　【００４１】
　ここでカウンタ７０４の値が所定値以下で画像の変化が認められない場合はＮｅｘｔ　ＷｒｉｔｅはＨにならない。
　【００４２】
　そこで、▲４▼において、コントローラ７０２は、画像データの書込みは再びメモリ６上の（３）へ、読出しは（２）からとなる。こうして１６画面分のフリーズを行う。
　【００４３】
　以上のようにしてメモリ６には、書込みと読出しを並行して行いながら、前のデータとの変化があまりみられない場合は、次のデータの読出し時には前回のデータを踏み付けて重ね書きをするようにする（データの廃棄）。この結果、高速で画像に変化のある連写記録が実現できる。
　【００４４】
　次に、こうして連写記録された画像の再生について説明する。一般のスチルビデオプレイヤで再生した場合には、マルチ画の１６画面の画像を一瞬に再生することが可能である。
　【００４５】
　一方、高速連写記録時に、連写コマ速（インターバル時間），連写コマ数をＩＤ（ｉｄｅｎｔｉｆｉｃａｔｉｏｎ）データのユーザーズエリアに合わせて記録しておく。
　【００４６】
　図１を用いて、再生モード時の動作について説明する。ディスクドライブモータ２７を駆動して、ビデオフロッピ１２を回転させる。回転が安定化すると、ヘッド１１，切換えスイッチ１７の上側接点を介して再生回路９に再生信号が入り、輝度信号（Ｙ），クロマ信号（Ｃ）としてＡ−Ｄコンバータ５へ送られる。信号ＹとＣが各々ディジタル信号化されてメモリ６へストアされる。
　【００４７】
　このときにＩＤ信号が再生されて、ユーザーズエリアより連写コマ速や連写コマ数を知る。
　【００４８】
　メモリ６へストアする際に、１コマ，１コマの画像の間に枠をいれる必要があるため、コマ数から水平ラインの決められた場所には、枠のデータ（黒ｏｒ灰色）をメモリ６へ書き込む。
　【００４９】
　このようにして、１連続画面分のデータのフリーズが行われると、まず、ディスクドライブモータ２７の駆動を止める。そして、メモリ６よりデータを読み出してＤＳＰ７，Ｄ−Ａコンバータ８，エンコーダ１５を介してモニタへ出力する。
　【００５０】
　図９に再生の仕方を示す。
（ａ）は記録した順序で再生するものである。
（ｂ）はバッティングフォームの分解撮影など次のコマとの比較を容易にするように、フリーズ時に図のような順序に並べ換えてフリーズして再生するものである。
（ｃ）は１コマずつ、１画面としてモニタアウトするものである。
（ｄ）は前述の実施例では単純な間引きによっているため、そのまま戻すと荒い画像となってしまうため、外側に白マスクを設けて画面を小さくしたものである。（ｃ）及び（ｄ）においては、ＩＤ信号の再生の際にコマ速を知ることができるため、それに対応させて再生を行うとコマ送り再生となり、被写体の動きをフラッシュモーションで見ることができる。
　【００５１】
　なお、実施例では、１６コマで１連続画面として記録を行っているが、９コマ，２５コマなどユーザがコマ数を指定するような構成にしてもよい。また、撮影の際の１コマ，１コマの間のインターバル時間について、被写体の変化があらかじめ予想できる場合や、一定時間ごとの変化を観察する場合には設定するようにしてもよい。インターバル時間を短くする際には、シャッタスピードとの関係で限界があるため、警告をすることが望ましい。また、記録媒体としてビデオフロッピを用いているが、メモリカードなどでもよい。
　【００５２】
　また実施例では、メモリ６に１６コマ分の画像がストアされてから、ビデオフロッピ１２への記録を行ったが、１６コマ分ストアされる以前にスイッチＳＷ２・２６がオフした場合には、その時点で記録されるようにしてもよい。また、スイッチＳＷ２・２６がオンの間は、メモリ６へのストア動作を持続して、１７コマ目は１コマ目のところへ重ね書きをして、常に現在から１６コマ分前まで画像をストアするようにして、スイッチＳＷ２・２６をオフしたら、その時点からさかのぼって１６コマ分をメモリ６からフロッピ１２へ記録するようにしてもよい。また、比較回路のレベルについては固定としたが撮影者が設定するようにしてもよい。
　【００５３】
　また、再生時、メモリ６にストアする際に、コマ数から枠のデータを書き込む場合には、記録時に書き込んだ枠より太めにする方が安全である。また、１コマずつ順次再生していく手法について説明したが、連続した４コマを同時に再生してユーザが任意に選択できるようにするとより効果的となる。
　【００５４】
　更に、実施例では、一連の画像データをメモリより一旦ビデオフロッピに転記し、このビデオフロッピより再生するようにしているが、本発明はこの形に限定されるものではなく、メモリから読み出したデータをビデオフロッピを介することなく出力する形で実施することもできる。この際には、外部に記録手段を設ける、或は再生出力をそのままソフトコピーに利用するといった形となる。
　【００５５】
　【発明の効果】
　以上説明したように、本発明によれば、水平ラインを間引いて高速読出しをしているので、より高速の連写が実現できる。
　【００５６】
　【００５７】
【図面の簡単な説明】
　【図１】　実施例のブロック図
　【図２】　クロック発生回路のカウンタのブロック図
　【図３】　イメージセンサの説明図
　【図４】　アドレス，アイリスのセレクトのタイミングチャート
　【図５】　図２の各カウンタの動作を示すタイミングチャート
　【図６】　１６コマ連写時の画面を示す図
　【図７】　メモリのブロック図
　【図８】　図７の各ブロックの動作を示すタイミングチャート
　【図９】　再生の仕方を示す図
　【符号の説明】
　３　撮像素子
　６　メモリ
　１３　クロック発生回路
　１４　システムコントローラ
　２３　撮影モード切換えスイッチ